(57)【要約】  本出願の実施形態は、より重要なアップリンク伝送（例えば、ＵＲＬＬＣサービス）に対する実行中のアップリンク伝送（例えば、ｅＭＢＢサービス）の影響を回避することができる、無線通信方法及び装置を提供する。該方法は、端末が第一のメッセージを受信し、前記第一のメッセージが、アップリンク伝送を停止するように端末に指示することに用いられることと、前記第一のメッセージに応答し、前記端末が前記アップリンク伝送を停止することとを含む。
2021517794.tif 000002
【特許請求の範囲】
【請求項１】
無線通信方法であって、
端末が、第一のメッセージを受信し、前記第一のメッセージが、アップリンク伝送を停止するように端末に指示することに用いられることと、
前記第一のメッセージに応答し、前記端末が、前記アップリンク伝送を停止することとを含む、前記無線通信方法。
【請求項２】
前記第一のメッセージはさらにアップリンク伝送を停止する開始点を示すことに用いられることを特徴とする
請求項１に記載の方法。
【請求項３】
前記第一のメッセージは、前記第一のメッセージと前記開始点との時系列関係を示すことによって、前記開始点を示すことを特徴とする
請求項２に記載の方法。
【請求項４】
前記方法はさらに、
時系列関係に基づいて、前記アップリンク伝送を停止する開始点を確定し、前記時系列関係が前記第一のメッセージと前記開始点との時系列関係であることを含むことを特徴とする
請求項１−３のいずれか一項に記載の方法。
【請求項５】
前記時系列関係は、前記端末に予め設定されることを特徴とする
請求項４に記載の方法。
【請求項６】
前記方法はさらに、
前記アップリンク伝送のための時間領域リソースに基づき、前記アップリンク伝送を停止する終了点を確定することを含むことを特徴とする
請求項１−５のいずれか一項に記載の方法。
【請求項７】
前記アップリンク伝送を停止する終了点は、
前記アップリンク伝送のための１番目のタイムスロットの終了境界、又は、
前記アップリンク伝送のためのタイムスロットのうち、前記第一のメッセージの受信時点の後の１番目のタイムスロットの終了境界、又は、
前記アップリンク伝送のための時間領域リソースの終了点、又は、
前記アップリンク伝送のための最後のタイムスロットの終了境界であることを特徴とする
請求項６に記載の方法。
【請求項８】
前記方法はさらに、
前記第一のメッセージの有効時間長、アップリンク伝送の停止の最大長さ、アップリンク伝送の停止の最小長さ、及び現在のアップリンク伝送の停止時間長のうちの少なくとも１つに基づいて、前記アップリンク伝送を停止する終了点を確定することを含むことを特徴とする
請求項１−５のいずれか一項に記載の方法。
【請求項９】
前記第一のメッセージはさらに前記アップリンク伝送を停止する終了点を示すことに用いられることを特徴とする
請求項１−８のいずれか一項に記載の方法。
【請求項１０】
前記第一のメッセージは、
前記第一のメッセージの有効時間長、アップリンク伝送の停止の最大長さ、アップリンク伝送の停止の最小長さ、及び現在のアップリンク伝送の停止時間長のうちの少なくとも１つによって、前記終了点を示すことを特徴とする
請求項９に記載の方法。
【請求項１１】
前記方法はさらに、
前記第一のメッセージではない第二のメッセージを受信し、前記第二のメッセージが、
前記第一のメッセージの有効時間長、アップリンク伝送の停止の最大長さ及びアップリンク伝送の停止の最小長さのうちの少なくとも１つを示すことと、
前記第二のメッセージに基づき、前記アップリンク伝送を停止する終了点を確定することとを含むことを特徴とする
請求項１−９のいずれか一項に記載の方法。
【請求項１２】
前記第一のメッセージは、同一の情報フィールドによって、アップリンク伝送を停止する前記開始点及び終了点を示すことを特徴とする
請求項１−１１のいずれか一項に記載の方法。
【請求項１３】
前記端末が、前記アップリンク伝送のタイプ、前記アップリンク伝送のリソース指示タイプ、前記アップリンク伝送の伝送時間間隔（ＴＴＩ）長さ、前記アップリンク伝送のスケジューリングシグナリングのフォーマット、前記スケジューリングシグナリングが所在するサーチ空間の密度、及び／又は、前記第一のメッセージと前記アップリンク伝送のスケジューリングシグナリングの受信時間順序に基づき、前記アップリンク伝送を停止する必要があることを確定することを含むことを特徴とする
請求項１−１２のいずれか一項に記載の方法。
【請求項１４】
前記第一のメッセージは、グループ共通ダウンリンク制御情報又はアップリンクグラントシグナリングであることを特徴とする
請求項１−１３のいずれか一項に記載の方法。
【請求項１５】
無線通信方法であって、
ネットワーク装置が、端末へ第一のメッセージを送信し、前記第一のメッセージが、アップリンク伝送を停止するように端末に指示することに用いられることと、
前記ネットワーク装置が、前記アップリンク伝送の受信を停止することとを含む、前記無線通信方法。
【請求項１６】
前記第一のメッセージはさらにアップリンク伝送を停止する開始点を示すことに用いられることを特徴とする
請求項１５に記載の方法。
【請求項１７】
前記第一のメッセージは、前記第一のメッセージと前記開始点との時系列関係を示すことによって、前記開始点を示すことを特徴とする
請求項１６に記載の方法。
【請求項１８】
前記方法はさらに、
時系列関係に基づいて、前記アップリンク伝送を停止する開始点を確定し、前記時系列関係が前記第一のメッセージと前記開始点との時系列関係であることを含むことを特徴とする
請求項１５又は１７に記載の方法。
【請求項１９】
前記方法はさらに、
前記アップリンク伝送のための時間領域リソースに基づき、前記アップリンク伝送を停止する終了点を確定することを含むことを特徴とする
請求項１５−１８のいずれか一項に記載の方法。
【請求項２０】
前記アップリンク伝送を停止する終了点は、
前記アップリンク伝送のための１番目のタイムスロットの終了境界、又は、
前記アップリンク伝送のためのタイムスロットのうち、前記第一のメッセージの受信時点の後の１番目のタイムスロットの終了境界、又は、
前記アップリンク伝送のための時間領域リソースの終了点、又は、
前記アップリンク伝送のための最後のタイムスロットの終了境界であることを特徴とする
請求項１９に記載の方法。
【請求項２１】
前記方法はさらに、
前記第一のメッセージの有効時間長、アップリンク伝送の停止の最大長さ、アップリンク伝送の停止の最小長さ、及び現在のアップリンク伝送の停止時間長のうちの少なくとも１つに基づいて、前記アップリンク伝送を停止する終了点を確定することを含むことを特徴とする
請求項１５−１９のいずれか一項に記載の方法。
【請求項２２】
前記第一のメッセージはさらに前記アップリンク伝送を停止する終了点を示すことに用いられることを特徴とする
請求項１５−２１のいずれか一項に記載の方法。
【請求項２３】
前記第一のメッセージは、
前記第一のメッセージの有効時間長、アップリンク伝送の停止の最大長さ、アップリンク伝送の停止の最小長さ、及び現在のアップリンク伝送の停止時間長のうちの少なくとも１つによって、前記終了点を示すことを特徴とする
請求項２２に記載の方法。
【請求項２４】
前記方法はさらに、
前記第一のメッセージではない第二のメッセージを前記端末に送信し、前記第二のメッセージが、
前記第一のメッセージの有効時間長、アップリンク伝送の停止の最大長さ及びアップリンク伝送の停止の最小長さのうちの少なくとも１つを示すことを含むことを特徴とする
請求項１５−２１のいずれか一項に記載の方法。
【請求項２５】
前記第一のメッセージは、同一の情報フィールドによって、アップリンク伝送を停止する前記開始点及び終了点を示すことを特徴とする
請求項１５−２４のいずれか一項に記載の方法。
【請求項２６】
前記アップリンク伝送のタイプ、前記アップリンク伝送のリソース指示タイプ、前記アップリンク伝送の伝送時間間隔（ＴＴＩ）長さ、前記アップリンク伝送のスケジューリングシグナリングのフォーマット、及び／又は前記スケジューリングシグナリングが所在するサーチ空間に基づいて、前記アップリンク伝送を停止する必要があることを確定することを含むことを特徴とする
請求項１５−２５のいずれか一項に記載の方法。
【請求項２７】
前記ネットワーク装置が端末へ第一のメッセージを送信することは、
前記アップリンク伝送のためのリソースにおいて、前記端末が他のアップリンク伝送を行う必要がある場合、又は前記アップリンク伝送のためのリソースにおいて、他の端末がアップリンク伝送を行う必要がある場合、前記ネットワーク装置が前記端末へ第一のメッセージを送信することを含むことを特徴とする
請求項１５−２６のいずれか一項に記載の方法。
【請求項２８】
端末であって、通信ユニットと処理ユニットを備え、
前記通信ユニットが第一のメッセージを受信するように構成され、前記第一のメッセージが、アップリンク伝送を停止するように端末に指示することに用いられ、
前記処理ユニットが前記第一のメッセージに応答し、前記端末が前記アップリンク伝送を停止するように構成される、前記端末。
【請求項２９】
前記第一のメッセージはさらにアップリンク伝送を停止する開始点を示すことに用いられることを特徴とする
請求項２８に記載の端末。
【請求項３０】
前記第一のメッセージは、前記第一のメッセージと前記開始点との時系列関係を示すことによって、前記開始点を示すことを特徴とする
請求項２９に記載の端末。
【請求項３１】
前記処理ユニットはさらに、
時系列関係に基づいて、前記アップリンク伝送を停止する開始点を確定するように構成され、前記時系列関係が前記第一のメッセージと前記開始点との時系列関係であることを特徴とする
請求項２８−３０のいずれか一項に記載の端末。
【請求項３２】
前記時系列関係は前記端末に予め設定されることを特徴とする
請求項３１に記載の端末。
【請求項３３】
前記処理ユニットはさらに、
前記アップリンク伝送のための時間領域リソースに基づき、前記アップリンク伝送を停止する終了点を確定するように構成されることを特徴とする
請求項２８−３１のいずれか一項に記載の端末。
【請求項３４】
前記アップリンク伝送を停止する終了点は、
前記アップリンク伝送のための１番目のタイムスロットの終了境界、又は、
前記アップリンク伝送のためのタイムスロットのうち、前記第一のメッセージの受信時点の後の１番目のタイムスロットの終了境界、又は、
前記アップリンク伝送のための時間領域リソースの終了点、又は、
前記アップリンク伝送のための最後のタイムスロットの終了境界であることを特徴とする
請求項３３に記載の端末。
【請求項３５】
前記処理ユニットはさらに、
前記第一のメッセージの有効時間長、アップリンク伝送の停止の最大長さ、アップリンク伝送の停止の最小長さ、及び現在のアップリンク伝送の停止時間長のうちの少なくとも１つに基づいて、前記アップリンク伝送を停止する終了点を確定するように構成されることを特徴とする
請求項２８−３３のいずれか一項に記載の端末。
【請求項３６】
前記第一のメッセージはさらに前記アップリンク伝送を停止する終了点を示すことに用いられることを特徴とする
請求項２８−３５のいずれか一項に記載の端末。
【請求項３７】
前記第一のメッセージは、
前記第一のメッセージの有効時間長、アップリンク伝送の停止の最大長さ、アップリンク伝送の停止の最小長さ、及び現在のアップリンク伝送の停止時間長のうちの少なくとも１つによって、前記終了点を示すことを特徴とする
請求項３６に記載の端末。
【請求項３８】
前記通信ユニットはさらに、
前記第一のメッセージではない第二のメッセージを受信するように構成され、前記第二のメッセージが、
前記第一のメッセージの有効時間長、アップリンク伝送の停止の最大長さ及びアップリンク伝送の停止の最小長さのうちの少なくとも１つを示し、
前記処理ユニットはさらに、
前記第二のメッセージに基づき、前記アップリンク伝送を停止する終了点を確定するように構成されることを特徴とする
請求項２８−３６のいずれか一項に記載の端末。
【請求項３９】
前記第一のメッセージは、同一の情報フィールドによって、アップリンク伝送を停止する前記開始点及び終了点を示すことを特徴とする
請求項２８−３８のいずれか一項に記載の端末。
【請求項４０】
前記処理ユニットはさらに、
前記アップリンク伝送のタイプ、前記アップリンク伝送のリソース指示タイプ、前記アップリンク伝送の伝送時間間隔（ＴＴＩ）長さ、前記アップリンク伝送のスケジューリングシグナリングのフォーマット、前記スケジューリングシグナリングが所在するサーチ空間、及び／又は、前記第一のメッセージと前記アップリンク伝送のスケジューリングシグナリングの受信時間順序に基づき、前記アップリンク伝送を停止する必要があることを確定するように構成されることを特徴とする
請求項２８−３９のいずれか一項に記載の端末。
【請求項４１】
前記第一のメッセージは、グループ共通ダウンリンク制御情報又はアップリンクグラントシグナリングであることを特徴とする
請求項２８−４０のいずれか一項に記載の端末。
【請求項４２】
ネットワーク装置であって、通信ユニットと処理ユニットを備え、
前記通信ユニットが端末に第一のメッセージを送信するように構成され、前記第一のメッセージが、アップリンク伝送を停止するように端末に指示することに用いられ、
前記処理ユニットが前記アップリンク伝送の受信を停止するように構成される、前記ネットワーク装置。
【請求項４３】
前記第一のメッセージはさらにアップリンク伝送を停止する開始点を示すことに用いられることを特徴とする
請求項４２に記載の装置。
【請求項４４】
前記第一のメッセージは、前記第一のメッセージと前記開始点との時系列関係を示すことによって、前記開始点を示すことを特徴とする
請求項４３に記載の装置。
【請求項４５】
前記処理ユニットはさらに、
時系列関係に基づいて、前記アップリンク伝送を停止する開始点を確定するように構成され、前記時系列関係が前記第一のメッセージと前記開始点との時系列関係であることを特徴とする
請求項４２又は４４に記載の装置。
【請求項４６】
前記処理ユニットはさらに、
前記アップリンク伝送のための時間領域リソースに基づき、前記アップリンク伝送を停止する終了点を確定するように構成されることを特徴とする
請求項４２−４５のいずれか一項に記載の装置。
【請求項４７】
前記アップリンク伝送を停止する終了点は、
前記アップリンク伝送のための１番目のタイムスロットの終了境界、又は、
前記アップリンク伝送のためのタイムスロットのうち、前記第一のメッセージの受信時点の後の１番目のタイムスロットの終了境界、又は、
前記アップリンク伝送のための時間領域リソースの終了点、又は、
前記アップリンク伝送のための最後のタイムスロットの終了境界であることを特徴とする
請求項４６に記載の装置。
【請求項４８】
前記処理ユニットはさらに、
前記第一のメッセージの有効時間長、アップリンク伝送の停止の最大長さ、アップリンク伝送の停止の最小長さ、及び現在のアップリンク伝送の停止時間長のうちの少なくとも１つに基づいて、前記アップリンク伝送を停止する終了点を確定するように構成されることを特徴とする
請求項４２−４６のいずれか一項に記載の装置。
【請求項４９】
前記第一のメッセージはさらに前記アップリンク伝送を停止する終了点を示すことに用いられることを特徴とする
請求項４２−４８のいずれか一項に記載の装置。
【請求項５０】
前記第一のメッセージは、
前記第一のメッセージの有効時間長、アップリンク伝送の停止の最大長さ、アップリンク伝送の停止の最小長さ、及び現在のアップリンク伝送の停止時間長のうちの少なくとも１つによって、前記終了点を示すことを特徴とする
請求項４９に記載の装置。
【請求項５１】
前記通信ユニットはさらに、
前記第一のメッセージではない第二のメッセージを前記端末に送信するように構成され、前記第二のメッセージが、
前記第一のメッセージの有効時間長、アップリンク伝送の停止の最大長さ及びアップリンク伝送の停止の最小長さのうちの少なくとも１つを示すことを特徴とする
請求項４２−４８のいずれか一項に記載の装置。
【請求項５２】
前記第一のメッセージは、同一の情報フィールドによって、アップリンク伝送を停止する前記開始点及び終了点を示すことを特徴とする
請求項４２−５１のいずれか一項に記載の装置。
【請求項５３】
前記処理ユニットはさらに、
前記アップリンク伝送のタイプ、前記アップリンク伝送のリソース指示タイプ、前記アップリンク伝送の伝送時間間隔（ＴＴＩ）長さ、前記アップリンク伝送のスケジューリングシグナリングのフォーマット、及び／又は前記スケジューリングシグナリングが所在するサーチ空間に基づいて、前記アップリンク伝送を停止する必要があることを確定するように構成されることを特徴とする
請求項４２−５２のいずれか一項に記載の装置。
【請求項５４】
前記通信ユニットはさらに、
前記アップリンク伝送のためのリソースにおいて、前記端末が他のアップリンク伝送を行う必要がある場合、又は前記アップリンク伝送のためのリソースにおいて、他の端末がアップリンク伝送を行う必要がある場合、前記端末へ第一のメッセージを送信するように構成されることを特徴とする
請求項４２−５３のいずれか一項に記載の装置。
【発明の詳細な説明】
【技術分野】
【０００１】
本出願は通信分野に関し、且つより具体的には、無線通信方法及び装置に関する。
【背景技術】
【０００２】
現在の５Ｇシステムでは、超高信頼低遅延通信（ＵＲＬＬＣ：Ｕｌｔｒａ−ｒｅｌｉａｂｌｅ  ｌｏｗ  ｌａｔｅｎｃｙ  ｃｏｍｍｕｎｉｃａｔｉｏｎ）が導入され、該サービスは、極端な遅延要件（例えば１ｍｓ）の中で超高信頼性（例えば９９．９９９％）の伝送を実現することを特徴とする。この目標を達成するために、ダウンリンクにプリエンプション（Ｐｒｅｅｍｐｔｉｏｎ）メカニズムが導入され、即ち、拡張モバイルブロードバンド（ｅＭＢＢ：Ｅｎｈａｎｃｅ  Ｍｏｂｉｌｅ  Ｂｒｏａｄｂａｎｄ）のサービス伝送の過程において、ＵＲＬＬＣサービスを割り込む。
【０００３】
アップリンクで実行しているｅＭＢＢサービスによるＵＲＬＬＣサービスへの影響をどのように回避するかは、解決すべき問題である。
【発明の概要】
【発明が解決しようとする課題】
【０００４】
本出願の実施形態は、より重要なアップリンク伝送（例えば、ＵＲＬＬＣサービス）への実行中のアップリンク伝送（例えば、ｅＭＢＢサービス）の影響を回避することができる、無線通信方法及び装置を提供する。
【課題を解決するための手段】
【０００５】
第一の態様による無線通信方法は、
端末が第一のメッセージを受信し、前記第一のメッセージが、アップリンク伝送を停止するように端末に指示することに用いられることと、
前記第一のメッセージに応答し、前記端末が前記アップリンク伝送を停止することとを含む。
【０００６】
第一の態様と組み合わせ、第一の態様の一つの可能な実施形態では、前記第一のメッセージは、さらにアップリンク伝送を停止する開始点を示すことに用いられる。
【０００７】
第一の態様又はその上記のいずれかの可能な実施形態と組み合わせ、第一の態様の他の可能な実施形態では、前記第一のメッセージは、前記第一のメッセージと前記開始点との時系列関係を示すことによって、前記開始点を示す。
【０００８】
第一の態様又はその上記のいずれかの可能な実施形態と組み合わせ、第一の態様の他の可能な実施形態では、前記時系列関係は、前記端末に予め設定される。
【０００９】
第一の態様又はその上記のいずれかの可能な実施形態と組み合わせ、第一の態様の他の可能な実施形態では、前記方法はさらに、
時系列関係に基づいて、前記アップリンク伝送を停止する開始点を確定し、前記時系列関係が前記第一のメッセージと前記開始点との時系列関係であることを含む。
【００１０】
第一の態様又はその上記のいずれかの可能な実施形態と組み合わせ、第一の態様の他の可能な実施形態では、前記方法はさらに、
前記アップリンク伝送のための時間領域リソースに基づき、前記アップリンク伝送を停止する終了点を確定することを含む。
【００１１】
第一の態様又はその上記のいずれかの可能な実施形態と組み合わせ、第一の態様の他の可能な実施形態では、前記アップリンク伝送を停止する終了点は、
前記アップリンク伝送のための１番目のタイムスロットの終了境界、又は、
前記アップリンク伝送のためのタイムスロットのうち、前記第一のメッセージの受信時点の後の１番目のタイムスロットの終了境界、又は、
前記アップリンク伝送のための時間領域リソースの終了点、又は、
前記アップリンク伝送のための最後のタイムスロットの終了境界である。
【００１２】
第一の態様又はその上記のいずれかの可能な実施形態と組み合わせ、第一の態様の他の可能な実施形態では、前記方法はさらに、
前記第一のメッセージの有効時間長、アップリンク伝送の停止の最大長さ、アップリンク伝送の停止の最小長さ、及び現在のアップリンク伝送の停止時間長のうちの少なくとも１つに基づいて、前記アップリンク伝送を停止する終了点を確定することを含む。
【００１３】
第一の態様又はその上記のいずれかの可能な実施形態と組み合わせ、第一の態様の他の可能な実施形態では、前記第一のメッセージはさらに前記アップリンク伝送を停止する終了点を示すことに用いられる。
【００１４】
第一の態様又はその上記のいずれかの可能な実施形態と組み合わせ、第一の態様の他の可能な実施形態では、前記第一のメッセージは、
前記第一のメッセージの有効時間長、アップリンク伝送の停止の最大長さ、アップリンク伝送の停止の最小長さ、及び現在のアップリンク伝送の停止時間長のうちの少なくとも１つによって、前記終了点を示す。
【００１５】
第一の態様又はその上記のいずれかの可能な実施形態と組み合わせ、第一の態様の他の可能な実施形態では、前記方法はさらに、
前記第一のメッセージではない第二のメッセージを受信し、前記第二のメッセージが、
前記第一のメッセージの有効時間長、アップリンク伝送の停止の最大長さ及びアップリンク伝送の停止の最小長さのうちの少なくとも１つを示すことと、
前記第二のメッセージに基づき、前記アップリンク伝送を停止する終了点を確定することとを含む。
【００１６】
第一の態様又はその上記のいずれかの可能な実施形態と組み合わせ、第一の態様の他の可能な実施形態では、前記第一のメッセージは同一の情報フィールドによって前記アップリンク伝送を停止する開始点及び終了点を示す。
【００１７】
第一の態様又はその上記のいずれかの可能な実施形態と組み合わせ、第一の態様の他の可能な実施形態では、前記端末は、前記アップリンク伝送のタイプ、前記アップリンク伝送のリソース指示タイプ、前記アップリンク伝送の伝送時間間隔（ＴＴＩ）長さ、前記アップリンク伝送のスケジューリングシグナリングのフォーマット、前記スケジューリングシグナリングが所在するサーチ空間、及び／又は、前記第一のメッセージと前記アップリンク伝送のスケジューリングシグナリングの受信時間順序に基づき、前記アップリンク伝送を停止する必要があることを確定する。
【００１８】
第一の態様又はその上記のいずれかの可能な実施形態と組み合わせ、第一の態様の他の可能な実施形態では、前記第一のメッセージは、グループ共通ダウンリンク制御情報又はアップリンクグラントシグナリングである。
【００１９】
第二の態様による無線通信方法は、
ネットワーク装置が端末へ第一のメッセージを受信し、前記第一のメッセージが、アップリンク伝送を停止するように端末に指示することに用いられることと、
前記ネットワーク装置が前記アップリンク伝送の受信を停止することとを含む。
【００２０】
第二の態様と組み合わせ、第二の態様の一つの可能な実施形態では、前記第一のメッセージは、さらにアップリンク伝送を停止する開始点を示すことに用いられる。
【００２１】
第二の態様又はその上記のいずれかの可能な実施形態と組み合わせ、第二の態様の他の可能な実施形態では、前記第一のメッセージは、前記第一のメッセージと前記開始点との時系列関係を示すことによって、前記開始点を示す。
【００２２】
第二の態様又はその上記のいずれかの可能な実施形態と組み合わせ、第二の態様の他の可能な実施形態では、前記方法はさらに、
時系列関係に基づいて、前記アップリンク伝送を停止する開始点を確定し、前記時系列関係が前記第一のメッセージと前記開始点との時系列関係であることを含む。
【００２３】
第二の態様又はその上記のいずれかの可能な実施形態と組み合わせ、第二の態様の他の可能な実施形態では、前記方法はさらに、
前記アップリンク伝送のための時間領域リソースに基づき、前記アップリンク伝送を停止する終了点を確定することを含む。
【００２４】
第二の態様又はその上記のいずれかの可能な実施形態と組み合わせ、第二の態様の他の可能な実施形態では、前記アップリンク伝送を停止する終了点は、
前記アップリンク伝送のための１番目のタイムスロットの終了境界、又は、
前記アップリンク伝送のためのタイムスロットのうち、前記第一のメッセージの受信時点の後の１番目のタイムスロットの終了境界、又は、
前記アップリンク伝送のための時間領域リソースの終了点、又は、
前記アップリンク伝送のための最後のタイムスロットの終了境界である。
【００２５】
第二の態様又はその上記のいずれかの可能な実施形態と組み合わせ、第二の態様の他の可能な実施形態では、前記方法はさらに、
前記第一のメッセージの有効時間長、アップリンク伝送の停止の最大長さ、アップリンク伝送の停止の最小長さ、及び現在のアップリンク伝送の停止時間長のうちの少なくとも１つに基づいて、前記アップリンク伝送を停止する終了点を確定することを含む。
【００２６】
第二の態様又はその上記のいずれかの可能な実施形態と組み合わせ、第二の態様の他の可能な実施形態では、前記第一のメッセージはさらに前記アップリンク伝送を停止する終了点を示すことに用いられる。
【００２７】
第二の態様又はその上記のいずれかの可能な実施形態と組み合わせ、第二の態様の他の可能な実施形態では、前記第一のメッセージは、
前記第一のメッセージの有効時間長、アップリンク伝送の停止の最大長さ、アップリンク伝送の停止の最小長さ、及び現在のアップリンク伝送の停止時間長のうちの少なくとも１つによって、前記終了点を示す。
【００２８】
第二の態様又はその上記のいずれかの可能な実施形態と組み合わせ、第二の態様の他の可能な実施形態では、前記方法はさらに、
前記第一のメッセージではない第二のメッセージを前記端末に送信し、前記第二のメッセージが、
前記第一のメッセージの有効時間長、アップリンク伝送の停止の最大長さ及びアップリンク伝送の停止の最小長さのうちの少なくとも１つを示すことを含む。
【００２９】
第二の態様又はその上記のいずれかの可能な実施形態と組み合わせ、第二の態様の他の可能な実施形態では、前記第一のメッセージは、同一の情報フィールドによって前記アップリンク伝送を停止する開始点及び終了点を示す。
【００３０】
第二の態様又はその上記のいずれかの可能な実施形態と組み合わせ、第二の態様の他の可能な実施形態では、前記方法はさらに、
前記アップリンク伝送のタイプ、前記アップリンク伝送のリソース指示タイプ、前記アップリンク伝送の伝送時間間隔（ＴＴＩ）長さ、前記アップリンク伝送のスケジューリングシグナリングのフォーマット、及び／又は前記スケジューリングシグナリングが所在するサーチ空間に基づいて、前記アップリンク伝送を停止する必要があることを確定することを含む。
【００３１】
第二の態様又はその上記のいずれかの可能な実施形態と組み合わせ、第二の態様の他の可能な実施形態では、前記ネットワーク装置が第一のメッセージを端末に送信することは、
前記アップリンク伝送のためのリソースにおいて、前記端末が他のアップリンク伝送を行う必要がある場合、又は前記アップリンク伝送のためのリソースにおいて、他の端末がアップリンク伝送を行う必要がある場合、前記ネットワーク装置が前記端末へ第一のメッセージを送信することを含む。
【００３２】
第三の態様による端末は上記第一の態様又は第一の態様のいずれかの可能な実施形態における方法を実行するように構成される。具体的には、前記端末は、上記第一の態様又は第一の態様のいずれかの可能な実施形態における方法を実行するように構成される機能モジュールを備える。
【００３３】
第四の態様によるネットワーク装置は上記第二の態様又は第二の態様のいずれかの可能な実施形態における方法を実行するように構成される。具体的には、前記ネットワーク装置は、上記第二の態様又は第二の態様のいずれかの可能な実施形態における方法を実行するように構成される機能モジュールを備える。
【００３４】
第五の態様による端末は、プロセッサ、メモリと送受信機を備える。前記プロセッサ、前記メモリと前記送受信機は内部接続パスを介して互いに通信し、制御及び／又はデータ信号を伝送し、これにより、前記端末は、上記第一の態様又は第一の態様のいずれかの可能な実施形態における方法を実行する。
【００３５】
第六の態様によるネットワーク装置は、プロセッサ、メモリと送受信機を備える。前記プロセッサ、前記メモリと前記送受信機は内部接続パスを介して互いに通信し、制御及び／又はデータ信号を伝送し、これにより、前記ネットワーク装置は、上記第二の態様又は第二の態様のいずれかの可能な実施形態における方法を実行する。
【００３６】
第七の態様によるコンピュータ可読媒体は、上記方法又はいずれかの可能な実施形態における方法を実行するためのコマンドを含むコンピュータプログラムを記憶するように構成される。
【００３７】
第八の態様によるコマンドを含むコンピュータプログラム製品は、コンピュータで実行される場合、コンピュータが上記方法又はいずれかの可能な実施形態における方法を実行する。
【００３８】
したがって、本出願の実施形態では、ネットワーク装置と端末は、アップリンク伝送を停止することを示すための第一のメッセージを伝送し、アップリンク伝送を停止し、これにより、実行待ちアップリンク伝送に対する実行中のアップリンク伝送の影響を回避し、例えばＵＲＬＬＣサービスに対するｅＭＢＢサービスの影響を回避することができ、そしてシグナリングオーバーヘッドを削減し、端末の複雑さを下げることができる。
【図面の簡単な説明】
【００３９】
【図１】本出願の実施形態による無線通信システムの概略図である。
【図２】本出願の実施形態による無線通信方法の概略フローチャートである。
【図３】本出願の実施形態によるアップリンク伝送を停止する時間位置の概略図である。
【図４】本出願の実施形態によるアップリンク伝送を停止する時間位置の概略図である。
【図５】本出願の実施形態によるアップリンク伝送を停止する時間位置の概略図である。
【図６】本出願の実施形態によるアップリンク伝送を停止する時間位置の概略図である。
【図７】本出願の実施形態によるアップリンク伝送を停止する時間位置の概略図である。
【図８】本出願の実施形態によるアップリンク伝送を停止する時間位置の概略図である。
【図９】本出願の実施形態によるアップリンク伝送を停止する時間位置の概略図である。
【図１０】本出願の実施形態による端末の概略ブロック図である。
【図１１】本出願の実施形態によるネットワーク装置の概略ブロック図である。
【図１２】本出願の実施形態によるシステムチップの概略ブロック図である。
【図１３】本出願の実施形態による通信装置の概略ブロック図である。
【発明を実施するための形態】
【００４０】
本出願の実施形態における技術的解決策をより明確に説明するために、以下に実施形態又は従来技術の説明に必要な図面を簡単に説明するが、明らかに、以下に説明される図面は本出願のいくつかの実施形態だけであり、当業者であれば、創造的な労力を要することなく、これらの図面に基づいて他の図面を得ることができる。
【００４１】
以下に本出願の実施形態の図面を参照しながら本出願の実施形態における技術的解決策を説明し、明らかに、説明される実施形態は本出願の実施形態の一部だけであり、全ての実施形態ではない。本出願の実施形態に基づき、当業者が創造的な労力を要せずに得る他の実施形態は、全て本出願の保護範囲に属する。
【００４２】
本出願の実施形態の技術的解決策は様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム又は将来の５Ｇ（新しい無線（ＮＲ：Ｎｅｗ  Ｒａｄｉｏ）とも呼ばれてもよい）システムなどに応用されてもよい。
【００４３】
図１には本発明の実施形態に応用される無線通信システム１００が示される。該無線通信システム１００はネットワーク装置１１０を備えることができる。ネットワーク装置１１０は端末装置と通信する装置であってもよい。ネットワーク装置１１０は特定の地理的エリアに対して通信カバレッジを提供することができ、そして該カバレッジに位置する端末装置（例えばＵＥ）と通信を行うことができる。選択可能に、該ネットワーク装置１１０はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は該ネットワーク装置は中継局、アクセスポイント、車載デバイス、ウェアラブルデバイス、将来の５Ｇネットワークにおけるネットワーク装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）におけるネットワーク装置などであってもよい。
【００４４】
該無線通信システム１００はさらにネットワーク装置１１０のカバレッジに位置する少なくとも一つの端末装置１２０を備える。端末装置１２０は移動型又は固定型でもよい。選択可能に、端末装置１２０はアクセス端末、ユーザ装置（ＵＥ：Ｕｓｅｒ  Ｅｑｕｉｐｍｅｎｔ）、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化したＰＬＭＮネットワークにおける端末装置などであってもよい。
【００４５】
選択可能に、端末装置１２０同士は端末直接接続（Ｄ２Ｄ：Ｄｅｖｉｃｅ  ｔｏ  Ｄｅｖｉｃｅ）通信を行うことができる。
【００４６】
選択可能に、５Ｇシステム又はネットワークは新しい無線（ＮＲ：Ｎｅｗ  Ｒａｄｉｏ）システム又はネットワークとも呼ばれてもよい。
【００４７】
図１に一つのネットワーク装置と２つの端末装置が例示的に示され、選択可能に、該無線通信システム１００は複数のネットワーク装置を備えることができ且つ各ネットワーク装置のカバレッジで他の数の端末装置を備えることができ、本出願の実施形態はこれに限定されない。
【００４８】
選択可能に、該無線通信システム１００はさらにネットワークコントローラ、移動管理エンティティなどの他のネットワークエンティティを備えることができ、本出願の実施形態はこれに限定されない。
【００４９】
理解すべきものとして、本明細書で用語「システム」と「ネットワーク」は本明細書で常に互換可能に使用される。本明細書では用語「及び／又は」は、関連するオブジェクトの関連関係を記述するためのものだけであり、３種類の関係が存在してもよいことを示し、例えば、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【００５０】
図２は本出願の実施形態による無線通信方法２００の概略フローチャートである。選択可能に、該方法２００は図１に示すシステムに応用されてもよいが、これに限定されない。図２に示すように、該方法２００は以下の少なくとも一部の内容を含む。
【００５１】
２１０において、ネットワーク装置は、端末へ第一のメッセージを送信し、該第一のメッセージが、アップリンク伝送を停止するように端末に指示することに用いられる。選択可能に、該第一のメッセージは、物理層シグナリングである。
【００５２】
例えば、あるブロックのリソースでアップリンク伝送を行っており、ネットワーク装置は、端末装置が他のアップリンク伝送を行うようにスケジューリングする必要がある時に、他のアップリンク伝送の優先度が該アップリンク伝送の優先度よりも高い場合、端末へ第一のメッセージを送信し、第一のメッセージがアップリンク伝送を停止するように該端末に指示することに用いられる。
【００５３】
選択可能に、上述したアップリンク伝送のタイプは、例えばＵＲＬＬＣサービスとｅＭＢＢサービスというサービスタイプに分けられてもよい。又は、上述したアップリンク伝送のタイプは、伝送されるデータ又はシグナリングに従って分けられてもよく、データを伝送するためのアップリンク伝送、及び制御シグナリングを伝送するためのアップリンク伝送に分けられてもよい。
【００５４】
選択可能に、第一のメッセージを送信した場合、ネットワーク装置は、該アップリンク伝送のタイプ、該アップリンク伝送のリソース指示タイプ、該アップリンク伝送の伝送時間間隔（ＴＴＩ：Ｔｒａｎｓｍｉｓｓｉｏｎ  Ｔｉｍｅ  Ｉｎｔｅｒｖａｌ）長さ、該アップリンク伝送のスケジューリングシグナリングのフォーマット、及び／又は該スケジューリングシグナリングが所在するサーチ空間に基づいて、該アップリンク伝送を停止する必要があることを確定することができる。
【００５５】
選択可能に、上述したリソース指示タイプは、タイムスロットリソース指示タイプであってもよく、具体的にタイムスロットリソースのスケジューリング粒度に従って分けることが可能であり、具体的には、多くのシンボルをスケジューリングするリソース指示（例えば、タイプＡ（ｔｙｐｅ  Ａ）であってもよく、タイムスロットスケジューリングに基づくリソース指示）、及び少ないシンボルをスケジューリングするリソース指示（例えば、タイプＢ（ｔｙｐｅ  Ｂ）であってもよく、非タイムスロットスケジューリングに基づくリソース指示）に分けられてもよい。
【００５６】
選択可能に、アップリンク伝送のスケジューリングシグナリングのタイプは、スケジューリングシグナリングのフォーマットによって区分されてもよく、例えば、圧縮スケジューリングシグナリングフォーマットと通常のスケジューリングシグナリングフォーマットに分けられてもよい。又は、アップリンク伝送のスケジューリングシグナリングのタイプは、スケジューリングシグナリングが所在するサーチ空間によって区分されてもよく、例えば、高密度サーチ空間にあるスケジューリングシグナリングと低密度サーチ空間にあるスケジューリングシグナリングに分けられてもよい。
【００５７】
選択可能に、スケジューリングシグナリングのサーチ空間に基づいて、アップリンク伝送を停止するか否かを確定することは、該サーチ空間の密度に基づき、アップリンク伝送を停止するか否かを確定することであってもよいし、サーチ空間の番号又はインデックスなどに基づき、アップリンク伝送を停止するか否かを確定することであってもよく、例えば、スケジューリングシグナリングのインデックスが１である場合、該アップリンク伝送を停止することができ、スケジューリングシグナリングのインデックスが２である場合、該アップリンク伝送を停止しなくてもよい。
【００５８】
ここで、アップリンク伝送の優先度順序は、下記のようにしてもよい。
【００５９】
制御情報のアップリンク伝送＞データのアップリンク伝送、又は
ＵＲＬＬＣサービスのアップリンク伝送＞ｅＭＢＢサービスのアップリンク伝送、又は
ＵＲＬＬＣデータのアップリンク伝送＞ＵＲＬＬＣアップリンク制御情報（ＵＣＩ：Ｕｐｌｉｎｋ  Ｃｏｎｔｒｏｌ  Ｉｎｆｏｒｍａｔｉｏｎ）のアップリンク伝送＞ｅＭＢＢ  ＵＣＩのアップリンク伝送＞ｅＭＢＢデータのアップリンクデータ伝送、又は
ＵＲＬＬＣ  ＣＵＩのアップリンク伝送＞ＵＲＬＬＣデータのアップリンク伝送＞ｅＭＢＢ  ＵＣＩのアップリンク伝送＞ｅＭＢＢデータのアップリンク伝送、又は
タイプＢに対応するアップリンク伝送＞タイプＡのアップリンク伝送、又は
短いＴＴＩに対応するアップリンク伝送＞長いＴＴＩに対応するアップリンク伝送、又は
スケジューリングシグナリングが圧縮スケジューリングシグナリングフォーマットであるアップリンク伝送＞スケジューリングシグナリングが通常のスケジューリングシグナリングフォーマットのアップリンク伝送、又は
スケジューリングシグナリングが高密度サーチ空間にあるアップリンク伝送＞スケジューリングシグナリングが低密度サーチ空間にあるアップリンク伝送。
【００６０】
上記優先度順序に基づき、ネットワーク側は、第一のメッセージを送信するか否かを判定することができ、第一のメッセージを送信した場合、アップリンク伝送の受信を停止するか否かを判定することができる。
【００６１】
選択可能に、該アップリンク伝送のためのリソース（例えば、時間領域リソース、又は周波数領域リソース、又は時間周波数リソース）において、他の端末がアップリンク伝送を行う必要がある場合、該ネットワーク装置は、該端末へ第一のメッセージを送信する。
【００６２】
具体的には、該アップリンク伝送のためのリソースで高い優先度のアップリンク伝送を行う必要がある他の端末が存在するため、他の端末のアップリンク伝送に対する干渉を回避するために、他の端末と共に同じリソースを利用する端末のうちの少なくとも１つの端末のアップリンク伝送を停止することができる。
【００６３】
選択可能に、ネットワーク装置は、端末に対してアップリンクスケジューリングを行う時に、該アップリンクスケジューリングのアップリンク伝送の優先度に基づいて、スケジューリングシグナリングのフォーマット及び／又はスケジューリングシグナリングの伝送のためのサーチ空間を選択することができる。
【００６４】
例えば、該アップリンク伝送の優先度が高い場合、圧縮スケジューリングシグナリングフォーマットのスケジューリングシグナリングを選択し、そうでない場合、通常のスケジューリングシグナリングフォーマットのスケジューリングシグナリングを選択することができる。
【００６５】
例えば、該アップリンク伝送の優先度が高い場合、特定のサーチ空間を選択して該アップリンク伝送のためのスケジューリングシグナリングを伝送し、又は高密度サーチ空間を選択して該スケジューリングシグナリングを伝送し、そうでない場合、低密度サーチ空間を選択して該スケジューリングシグナリングを伝送することができる。
【００６６】
２２０において、端末は、第一のメッセージを受信し、該第一のメッセージが、アップリンク伝送を停止するように端末に指示することに用いられる。
【００６７】
選択可能に、前記第一のメッセージは、グループ共通ダウンリンク制御情報（Ｇｒｏｕｐ  Ｃｏｍｍｏｎ  Ｄｏｗｎｌｉｎｋ  Ｃｏｎｔｒｏｌ  ｉｎｆｏｒｍａｔｉｏｎ）又はアップリンクグラント（ＵＬ  ｇｒａｎｔ）シグナリングである。
【００６８】
ここで、ＵＬ  ｇｒａｎｔを使用する時に、特殊な変調符号化スキーム（ＭＣＳ：Ｍｏｄｕｌａｔｉｏｎ  ａｎｄ  Ｃｏｄｉｎｇ  Ｓｃｈｅｍｅ）レベルを設定することで、アップリンク伝送を停止するように指示することができる。又は、周波数領域リソース割り当て（Ｆｒｅｑｕｅｎｃｙ  ｄｏｍａｉｎ  ｒｅｓｏｕｒｃｅ  ａｓｓｉｇｎｍｅｎｔ）及び／又は時間領域リソース割り当て（ｔｉｍｅ  ｄｏｍａｉｎ  ｒｅｓｏｕｒｃｅ  ａｓｓｉｇｎｍｅｎｔ  ）フィールドは０に設定されてもよい。
【００６９】
２３０において、該第一のメッセージに応答し、該端末は該アップリンク伝送を停止する。
【００７０】
選択可能に、端末は、第一のメッセージを受信した後、アップリンク伝送を停止するか否かを確定することができる。
【００７１】
選択可能に、端末は、前記アップリンク伝送のタイプ、前記アップリンク伝送のリソース指示タイプ、前記アップリンク伝送のＴＴＩ長さ、前記アップリンク伝送のスケジューリングシグナリングのフォーマット、前記スケジューリングシグナリングが所在するサーチ空間、及び／又は、前記第一のメッセージと前記アップリンク伝送のスケジューリングシグナリングの受信時間順序に基づき、該アップリンク伝送を停止するか否かを確定することができる。
【００７２】
選択可能に、スケジューリングシグナリングのサーチ空間に基づいて、アップリンク伝送を停止するか否かを確定することは、該サーチ空間の密度に基づき、アップリンク伝送を停止するか否かを確定することであってもよいし、サーチ空間の番号又はインデックスなどに基づき、アップリンク伝送を停止するか否かを確定することであってもよく、例えば、スケジューリングシグナリングのインデックスが１である場合、該アップリンク伝送を停止することができ、スケジューリングシグナリングのインデックスが２である場合、該アップリンク伝送を停止しなくてもよい。
【００７３】
一つの実施形態では、前記アップリンク伝送がＵＲＬＬＣサービスの伝送に用いられる場合、該アップリンク伝送を停止することがなく、該アップリンク伝送がｅＭＢＢサービスの伝送に用いられる場合、アップリンク伝送を停止する。
【００７４】
一つの実施形態では、前記アップリンク伝送がＵＲＬＬＣデータ又はＵＲＬＬＣ  ＵＣＩのアップリンク伝送である場合、該アップリンク伝送を停止することがなく、そうでない場合、該アップリンク伝送を停止する。
【００７５】
一つの実施形態では、前記アップリンク伝送がタイプＢに対応するアップリンク伝送である場合、該アップリンク伝送を停止することがなく、前記アップリンク伝送がタイプＡに対応するアップリンク伝送である場合、該アップリンク伝送を停止する。
【００７６】
一つの実施形態では、前記アップリンク伝送のＴＴＩ長さが特定の値以下である場合、該アップリンク伝送を停止することがなく、そうでない場合、該アップリンク伝送を停止する。
【００７７】
一つの実施形態では、アップリンク伝送のスケジューリングシグナリングが高密度サーチ空間にある場合、該アップリンク伝送を停止することがなく、低密度サーチ空間にある場合、該アップリンク伝送を停止する。
【００７８】
一つの実施形態では、アップリンク伝送のスケジューリングシグナリングがサーチ空間１にある場合、該アップリンク伝送を停止することがなく、サーチ空間２にある場合、該アップリンク伝送を停止する。サーチ空間１、２はプロトコルによって定められ又は上位層シグナリングによって配置される。
【００７９】
一つの実施形態では、アップリンク伝送のスケジューリングシグナリングのシグナリングフォーマットが圧縮スケジューリングシグナリングフォーマットである場合、該アップリンク伝送を停止することがなく、アップリンク伝送のスケジューリングシグナリングのシグナリングフォーマットが通常のスケジューリングシグナリングフォーマットである場合、該アップリンク伝送を停止する。
【００８０】
選択可能に、端末は、該第一のメッセージと該アップリンク伝送のスケジューリングシグナリングの受信時間順序に従って、該アップリンク伝送を停止するか否かを判定することができる。
【００８１】
例えば、第一のメッセージの受信時間が該アップリンク伝送のスケジューリングシグナリングの受信時間よりも早い場合、該アップリンク伝送を停止することがなく、第一のメッセージの受信時間が該アップリンク伝送のスケジューリングシグナリングの受信時間よりも遅い場合、該アップリンク伝送を停止する。
【００８２】
選択可能に、端末は、該アップリンク伝送の優先度順序に従って、該アップリンク伝送を停止するか否かを確定することができる。ここで、該アップリンク伝送の優先度は、該アップリンク伝送のタイプ、該アップリンク伝送のリソース指示タイプ、該アップリンク伝送の伝送時間間隔（ＴＴＩ：Ｔｒａｎｓｍｉｓｓｉｏｎ  Ｔｉｍｅ  Ｉｎｔｅｒｖａｌ）長さ、該アップリンク伝送のスケジューリングシグナリングが所在するサーチ空間、及び／又は前記スケジューリングシグナリングのフォーマットなどに基づいて順序付けられる。
【００８３】
ここで、該アップリンク伝送を停止するための理由は、前記端末にとって既知的なものであってもよく、例えば、該アップリンク伝送の停止をトリガする他のアップリンク伝送がどのタイプのアップリンク伝送であるか否かは第一のメッセージに示されてもよく、端末は、該他のアップリンク伝送と、停止と指示されたアップリンク伝送との優先度を比較することができ、停止と指示されたアップリンク伝送の優先度が高い場合、端末は、該アップリンク伝送を停止しなくてもよく、停止が示されたアップリンク伝送の優先度が低い場合、端末は、該アップリンク伝送を停止することができる。
【００８４】
又は、該アップリンク伝送を停止するための理由は、前記端末にとって未知なものであってもよく、端末は、複数のアップリンク伝送における該アップリンク伝送の優先度順序を判定し、該順序に基づき、該アップリンク伝送を停止するか否かを確定することができる。例えば、全ての複数のアップリンク伝送における該アップリンク伝送の優先度が最も低い場合、該アップリンク伝送を停止し、そうでない場合、該アップリンク伝送を停止しない。
【００８５】
ここで、具体的な優先度の順序付け方式について以上の説明を参照し、簡潔にするために、ここで説明を省略する。
【００８６】
選択可能に、該第一のメッセージはさらにアップリンク伝送を停止する開始点を示すことに用いられる。
【００８７】
ここで、該第一のメッセージは、アップリンク伝送の開始点のタイムスロットインデックス及び／又はシンボルインデックスを示すことができる。
【００８８】
この場合、該端末は、タイムスロットインデックス及び／又はシンボルインデックスに示されたタイムスロット及び／又はシンボルでアップリンク伝送を直接停止することができる。
【００８９】
選択可能に、該第一のメッセージは、該メッセージと該開始点との時系列関係を示すことで該開始点を示す。
【００９０】
具体的には、該第一のメッセージは、該第一のメッセージから何番目のタイムスロット及び／又はシンボルで該アップリンク伝送を停止し始めるかを示すことができ、これにより、端末は、該第一のメッセージを受信した後、第一のメッセージの指示に従って、アップリンク伝送を停止する。
【００９１】
例えば、図３に示すように、ネットワーク装置は、時点ｔ１に、端末に対してアップリンクスケジューリングを行い、スケジューリングされたアップリンク伝送がｔ３に開始し、ｔ５に終了し、ネットワーク装置は、時点ｔ２に端末へ第一のメッセージを送信し、第一の情報にパラメータＫ３が含まれてもよく、該Ｋ３が、第一のメッセージとアップリンク伝送を停止する開始点との時系列関係を示し、該時系列関係により、時点ｔ４にアップリンク伝送を停止する必要があることを知るようになる。
【００９２】
選択可能に、ネットワーク装置は、アップリンク伝送の開始点に従って該時系列関係を確定することができる。
【００９３】
例えば、図４に示すように、第一のメッセージ（パラメータＫ３の送信位置であるｔ２のところ）を送信する時に、アップリンク伝送がまだ開始されていない（開始点がｔ３である）。その場合、停止と決定されたアップリンク伝送が一つの完全なアップリンク伝送であってもよく、ネットワークは、アップリンク伝送の開始点（ｔ３）に基づいて該時系列関係を確定し、即ちｔ３にアップリンク伝送を停止するように指示することができる。図５に示すように、第一のメッセージ（パラメータＫ３の送信位置であるｔ２のところ）を送信する時に、アップリンク伝送（開始点がｔ３である）が既に開始している場合、停止するアップリンク伝送の開始点はアップリンク伝送の中間位置（ｔ４）であってもよい。
【００９４】
理解すべきこととして、図４と図５に示す例又は同様の例では、ネットワーク装置は、アップリンク伝送の開始点に従って第一のメッセージにアップリンク伝送の停止の時点（例えば、図４に示すｔ３に対応するタイムスロット及び／又はインデックス、図５に示すｔ４に対応するタイムスロット及び／又はインデックス）を直接含ませることもできる。
【００９５】
選択可能に、本出願の実施形態では、第一のメッセージはアップリンク伝送を停止する開始点を示さなくてもよく、例えば、第一のメッセージを受信する時にアップリンク伝送がまだ開始されていない場合、端末は、完全なアップリンク伝送を停止し、第一のメッセージを受信する時にアップリンク伝送が既に開始している場合、第一のメッセージを受信する時にアップリンク伝送を停止することができる。
【００９６】
選択可能に、上記時系列関係は、端末に予め設定されてもよい。
【００９７】
具体的には、時系列関係は、他のメッセージによって端末に送信され、前記端末に予め設定されてもよく、例えば、上位層シグナリング（例えば、無線リソース制御シグナリング（ＲＲＣ：Ｒａｄｉｏ  Ｒｅｓｏｕｒｃｅ  Ｃｏｎｔｒｏｌ）によって端末に送信されてもよく、又は、該時系列関係は、プロトコルによって定められ、シグナリングによって予め設定されることなく、端末に直接予め設定されてもよい。
【００９８】
選択可能に、時系列関係が端末に予め設定された場合、端末は、それ自体のアップリンクスケジューリング状況及び該時系列関係に従って該第一のメッセージの検出位置を確定し、該検出位置で検出することができる。対応するアップリンク伝送がない場合、該第一のメッセージを検出する必要がなく、アップリンク伝送がある場合、第一のメッセージの検出を行うことができ、これにより、端末による第一のメッセージ検出の回数を減らし、第一のメッセージのシグナリングシグナリングオーバーヘッドを削減することができる。
【００９９】
例えば、アップリンク伝送がタイムスロット２とタイムスロット３で実行されると仮定し、且つ端末が、アップリンク伝送を停止する必要がある時に、タイムスロット２とタイムスロット３のシンボルのどのシンボルでアップリンク伝送を停止するべきであるかを既に知っている場合、端末は、アップリンク伝送を停止する開始点、及び該時系列関係に基づいて第一のメッセージの送信位置を知り、該送信位置で第一のメッセージを検出し、アップリンク伝送を停止する必要があるか否かを判定することができる。
【０１００】
選択可能に、本出願の実施形態では、第一のメッセージとアップリンク伝送を停止する開始点との時系列関係のセットが端末に予め設定されてもよい。端末は、予め設定された該セットとそれ自体のアップリンクスケジューリング状況に基づき、第一のメッセージの複数の位置をブラインド検出する必要があることを判定し、該複数の第一の位置で第一のメッセージを検出し、少なくとも１つの位置の第一のメッセージに含まれる値が、その所在する位置の時系列関係に対応する値に一致する場合、アップリンク伝送を停止する必要があると判定し、これにより、第一のメッセージと開始点との時系列関係の柔軟性が向上し、様々な端末能力、柔軟なサブフレームタイプに適応する。
【０１０１】
例えば、アップリンク伝送がタイムスロット２とタイムスロット３で実行されると仮定し、且つ端末が、アップリンク伝送を停止する必要がある時に、タイムスロット２とタイムスロット３のシンボルのどのシンボルでアップリンク伝送を停止するべきであるかを知っている場合、端末は、アップリンク伝送を停止する開始点、及び複数の時系列関係に基づいて第一のメッセージの複数の送信位置を知り、該複数の送信位置で第一のメッセージを検出し、１つ又は複数の第一のメッセージの値がその位置の時系列関係に対応する値に一致する場合、アップリンク伝送を停止する必要があると判定することができる。
【０１０２】
ここで、第一のメッセージの値がその位置の時系列関係に対応する値に一致するか否かを判定する目的は、次の理由のためである。
【０１０３】
端末に複数のアップリンク伝送があり、各アップリンク伝送において、複数の時系列関係に基づいて、該アップリンク伝送に対応する第一のメッセージの複数の送信位置を確定するとした場合、１つのアップリンク伝送に対応する第一のメッセージの１つの送信位置が別のアップリンク伝送に対応する第一のメッセージの１つの送信位置と重なる可能性があり、端末は、第一のメッセージの値に基づき、該第一のメッセージがどのアップリンク伝送に基づいているかを判定する必要がある。
【０１０４】
選択可能に、端末は、アップリンク伝送のための時間領域リソースに基づき、該アップリンク伝送を停止する終了点を確定することができる。
【０１０５】
一つの実施形態では、該アップリンク伝送を停止する終了点は、該アップリンク伝送の１番目のタイムスロットの終了境界である。
【０１０６】
例えば、図６に示すように、ネットワーク装置は、時点ｔ１に、端末に対してアップリンクスケジューリングを行い、スケジューリングされたアップリンク伝送がｔ３に開始し、ｔ５に終了し、ネットワーク装置は、時点２に端末へ第一のメッセージを送信し、第一の情報にパラメータＫ３が含まれてもよく、該Ｋ３が第一のメッセージとアップリンク伝送を停止する開始点との時系列関係を示し、該時系列関係により、時点ｔ３（即ち、アップリンク伝送の開始点）にアップリンク伝送を停止する必要があることがわかる。該アップリンク伝送の１番目のタイムスロットの終了点が時点ｔ４に位置する場合、端末は、ｔ４をアップリンク伝送を停止する終了点とし、アップリンク伝送の終了点ｔ５までアップリンク伝送を行うことができる。
【０１０７】
一つの実施形態では、該アップリンク伝送を停止する終了点は、該アップリンク伝送のためのタイムスロットのうち、該第一のメッセージの受信時点の後の１番目のタイムスロットの終了境界である。
【０１０８】
一つの実施形態では、該アップリンク伝送を停止する終了点は、該アップリンク伝送のための時間領域リソースの終了点である。
【０１０９】
例えば、図７に示すように、ネットワーク装置は、時点ｔ１に、端末に対してアップリンクスケジューリングを行い、スケジューリングされたアップリンク伝送がｔ３に開始し、１番目のタイムスロットの終了境界が時間ｔ４であり、アップリンク伝送がｔ５に終了し、ネットワーク装置は、時点２に端末へ第一のメッセージを送信し、第一の情報にパラメータＫ３が含まれてもよく、該Ｋ３が第一のメッセージとアップリンク伝送を停止する開始点との時系列関係を示し、該時系列関係により、時点ｔ３（即ち、アップリンク伝送の開始点）にアップリンク伝送を停止する必要があることがわかり、また、端末は、アップリンク伝送の終了点ｔ５をアップリンク伝送を停止する終了点とすることができる。
【０１１０】
一つの実施形態では、該アップリンク伝送を停止する終了点は、該アップリンク伝送の最後のタイムスロットの終了境界である。
【０１１１】
選択可能に、アップリンク伝送のための時間領域リソースのどの点がアップリンク伝送の終了点として用いられるかは、端末に予め設定されてもよいし、上位層シグナリングによって端末に示されてもよいし、第一のメッセージによって端末に示されてもよい。
【０１１２】
選択可能に、端末は、該第一のメッセージの有効時間長、アップリンク伝送の停止の最大長さ、アップリンク伝送の停止の最小長さ、及び現在のアップリンク伝送の停止時間長のうちの少なくとも１つに基づいて、該アップリンク伝送を停止する終了点を確定する。
【０１１３】
例えば、図８に示すように、ネットワーク装置は、時点ｔ１に、端末に対してアップリンクスケジューリングを行い、スケジューリングされたアップリンク伝送がｔ３に開始し、ｔ５に終了し、ネットワーク装置は、時点２に端末へ第一のメッセージを送信し、第一の情報にパラメータＫ３が含まれてもよく、該Ｋ３が第一のメッセージとアップリンク伝送を停止する開始点との時系列関係を示し、該時系列関係により、時点ｔ３（即ち、アップリンク伝送の開始点）にアップリンク伝送を停止する必要があることがわかる。該パラメータＫ３の有効区間の終了点がｔ４である場合、ｔ４がアップリンク伝送を停止する終了点として用いられてもよい。
【０１１４】
例えば、図９に示すように、ネットワーク装置は、時点ｔ１に、端末に対してアップリンクスケジューリングを行い、スケジューリングされたアップリンク伝送がｔ３に開始し、ｔ５に終了し、ネットワーク装置は、時点２に端末へ第一のメッセージを送信し、第一の情報にパラメータＫ３が含まれてもよく、該Ｋ３が第一のメッセージとアップリンク伝送を停止する開始点との時系列関係を示し、該時系列関係により、時点ｔ３（即ち、アップリンク伝送の開始点）にアップリンク伝送を停止する必要があることがわかる。アップリンク伝送の停止長さに対応する終了点がｔ４である場合、ｔ４がアップリンク伝送を停止する終了点として用いられてもよい。
【０１１５】
理解すべきこととして、最小長さ及び他の長さ（例えば、第一のメッセージの有効時間長又は現在のアップリンク伝送の停止時間長）が同時に存在し、他の時間長に対応する停止長さが最小時間長よりも短い場合、最小長さに従ってアップリンク伝送を停止する。
【０１１６】
又は、最大長さ及び他の長さ（例えば、第一のメッセージの有効時間長又は現在のアップリンク伝送の停止時間長）が同時に存在し、他の時間長に対応する停止長さが最小時間長よりも長い場合、最大長さに従ってアップリンク伝送を停止する。
【０１１７】
選択可能に、該第一のメッセージは該アップリンク伝送を停止する終了点を示すことができる。
【０１１８】
例えば、第一のメッセージに該アップリンク伝送を停止する終了点のタイムスロットインデックス及び／又はシンボルインデックスが含まれてもよく、端末は、該タイムスロット及び／又はシンボルインデックスに示されるタイムスロット及び／又はシンボルをアップリンク伝送を停止する終了点とすることができる。
【０１１９】
選択可能に、該第一のメッセージは、
該第一のメッセージの有効時間長、アップリンク伝送の停止の最大長さ、アップリンク伝送の停止の最小長さ、及び現在のアップリンク伝送の停止時間長のうちの少なくとも１つによって、前記終了点を示す。
【０１２０】
選択可能に、端末は、該第一のメッセージではない第二のメッセージを受信することができ、該第二のメッセージが、該第一のメッセージの有効時間長、アップリンク伝送の停止の最大長さ及びアップリンク伝送の停止の最小長さのうちの少なくとも１つを示すことを含む。選択可能に、該第二のメッセージが上位層シグナリングである。
【０１２１】
選択可能に、該第一のメッセージは同一の情報フィールドによって該アップリンク伝送を停止する開始点及び終了点を示す。例えば、該情報フィールドは、アップリンク伝送を停止する開始点が時点１であり、終了点が時点２であることを示すビット００と、アップリンク伝送を停止する開始点が時点３であり、終了点が時点４であることを示すビット１０との２つのビットを、含む。
【０１２２】
２４０において、該ネットワーク装置は、該アップリンク伝送の受信を停止する。
【０１２３】
選択可能に、ネットワーク側は、時系列関係に基づいて、該アップリンク伝送を停止する開始点を確定し、該時系列関係が該第一のメッセージと該開始点との時系列関係である。
【０１２４】
選択可能に、ネットワーク装置は、該アップリンク伝送のために構成された時間領域リソースに基づき、該アップリンク伝送を停止する終了点を確定することができる。
【０１２５】
選択可能に、ネットワーク装置は、該第一のメッセージの有効時間長、アップリンク伝送の停止の最大長さ、アップリンク伝送の停止の最小長さ、及び現在のアップリンク伝送の停止時間長のうちの少なくとも１つに基づいて、該アップリンク伝送を停止する終了点を確定することができる。
【０１２６】
選択可能に、本出願の実施形態では、他のアップリンク伝送のためにあるアップリンク伝送を停止する必要がある場合、該アップリンク伝送全体を停止することができ、これにより、該アップリンク伝送に占有された時間が長いことによって、該アップリンク伝送が絶え間なくオン及びオフになる（複数回の他のアップリンク伝送によって引き起こされる）ことが回避され、それによって端末の消費電力が削減される。
【０１２７】
理解すべきこととして、本出願の実施形態では、第一のメッセージは、アップリンク伝送を停止する時間領域位置だけでなく、アップリンク伝送を停止する周波数領域位置を示すことができ、簡潔にするために、本出願の実施形態は具体的にこれに限定されない。
【０１２８】
したがって、本出願の実施形態では、ネットワーク装置と端末がアップリンク伝送を停止することを示すための第一のメッセージを伝送し、アップリンク伝送を停止し、これにより、実行待ちアップリンク伝送に対する実行中のアップリンク伝送の影響を回避し、例えばＵＲＬＬＣサービスに対するｅＭＢＢサービスの影響を回避することができ、そしてシグナリングオーバーヘッドを削減し、端末の複雑さを下げることができる。
【０１２９】
理解すべきこととして、本出願の実施形態では、本出願の方法又は同様の方法はダウンリンク伝送にも用いられてもよい。
【０１３０】
具体的には、端末は、第一のメッセージを受信し、前記第一のメッセージがスケジューリングされたダウンリンク伝送のための少なくとも１つのリソースで受信される必要があるデータがないことを示すことに用いられ、前記第一のメッセージに応答し、前記端末は、前記ダウンリンク伝送のタイプ、前記ダウンリンク伝送のリソース指示タイプ、前記ダウンリンク伝送のＴＴＩ長さ、前記ダウンリンク伝送のスケジューリングシグナリングのフォーマット、前記スケジューリングシグナリングが所在するサーチ空間、及び／又は、前記第一のメッセージと前記ダウンリンク伝送のスケジューリングシグナリングの受信時間順序に基づき、前記少なくとも１つのリソースで受信される必要があるデータがあるか否かを確定する。
【０１３１】
選択可能に、スケジューリングシグナリングのサーチ空間に基づいて、前記少なくとも１つのリソースで受信される必要があるデータがあるか否かを確定することは、該サーチ空間の密度に基づき、前記少なくとも１つのリソースで受信される必要があるデータがあるか否かを確定することであってもよいし、サーチ空間の番号又はインデックスなどに基づき、前記少なくとも１つのリソースで受信される必要があるデータがあるか否かを確定することであってもよく、スケジューリングシグナリングのインデックスが１である場合、前記少なくとも１つのリソースで受信される必要があるデータがないことを確定することができ、スケジューリングシグナリングのインデックスが２である場合、前記少なくとも１つのリソースで受信されるデータがあることを確定することができる。
【０１３２】
一つの実施形態では、前記ダウンリンク伝送がＵＲＬＬＣサービスの伝送に用いられる場合、前記少なくとも１つのリソースで受信される必要があるデータがあることを確定し、該ダウンリンク伝送がｅＭＢＢサービスの伝送に用いられる場合、前記少なくとも１つのリソースで受信される必要があるデータがないことを確定する。
【０１３３】
一つの実施形態では、前記ダウンリンク伝送がＵＲＬＬＣデータ又はＵＲＬＬＣ  ＵＣＩのダウンリンク伝送である場合、前記少なくとも１つのリソースで受信される必要があるデータがあることを確定し、そうでない場合、前記少なくとも１つのリソースで受信される必要があるデータがないことを確定する。
【０１３４】
一つの実施形態では、前記ダウンリンク伝送がタイプＢに対応するダウンリンク伝送である場合、前記少なくとも１つのリソースで受信される必要があるデータがあることを確定し、前記ダウンリンク伝送がタイプＡに対応するダウンリンク伝送である場合、前記少なくとも１つのリソースで受信される必要があるデータがないことを確定する。
【０１３５】
一つの実施形態では、前記ダウンリンク伝送のＴＴＩ長さが特定の値以下である場合、前記少なくとも１つのリソースで受信される必要があるデータがあることを確定し、そうでない場合、前記少なくとも１つのリソースで受信される必要があるデータがないことを確定する。
【０１３６】
一つの実施形態では、ダウンリンク伝送のスケジューリングシグナリングが高密度サーチ空間にある場合、前記少なくとも１つのリソースで受信される必要があるデータがあることを確定し、低密度サーチ空間にある場合、前記少なくとも１つのリソースで受信される必要があるデータがないことを確定する。
【０１３７】
一つの実施形態では、ダウンリンク伝送のスケジューリングシグナリングがサーチ空間１にある場合、前記少なくとも１つのリソースで受信される必要があるデータがあることを確定し、サーチ空間２にある場合、前記少なくとも１つのリソースで受信される必要があるデータがないことを確定する。サーチ空間１、２はプロトコルによって定められ又は上位層シグナリングによって配置される。
【０１３８】
一つの実施形態では、ダウンリンク伝送のスケジューリングシグナリングのシグナリングフォーマットが圧縮スケジューリングシグナリングフォーマットである場合、前記少なくとも１つのリソースで受信される必要があるデータがあることを確定し、ダウンリンク伝送のスケジューリングシグナリングのシグナリングフォーマットが通常のスケジューリングシグナリングフォーマットである場合、前記少なくとも１つのリソースで受信される必要があるデータがないことを確定する。
【０１３９】
選択可能に、端末は、該第一のメッセージと該ダウンリンク伝送のスケジューリングシグナリングの受信時間順序に従って、該ダウンリンク伝送を停止するか否かを判定することができる。
【０１４０】
例えば、第一のメッセージの受信時間が該ダウンリンク伝送のスケジューリングシグナリングの受信時間よりも早い場合、前記少なくとも１つのリソースで受信される必要があるデータがあることを確定し、第一のメッセージの受信時間が該ダウンリンク伝送のスケジューリングシグナリングの受信時間よりも遅い場合、前記少なくとも１つのリソースで受信される必要があるデータがないことを確定する。
【０１４１】
以上にダウンリンク伝送に対して、端末側の動作を説明したが、以下にダウンリンク伝送に対して、ネットワーク側の動作を説明する。
【０１４２】
ネットワーク装置は、第一のメッセージを送信し、前記第一のメッセージがスケジューリングされたダウンリンク伝送のための少なくとも１つのリソースで受信される必要があるデータがないことを示すことに用いられ、前記ネットワーク装置は、前記ダウンリンク伝送のタイプ、前記ダウンリンク伝送のリソース指示タイプ、前記ダウンリンク伝送の伝送時間間隔（ＴＴＩ：Ｔｒａｎｓｍｉｓｓｉｏｎ，Ｔｉｍｅ  Ｉｎｔｅｒｖａｌ）長さ、前記ダウンリンク伝送のスケジューリングシグナリングのフォーマット、及び／又は前記スケジューリングシグナリングが所在するサーチ空間に基づき、前記少なくとも１つのリソースでデータを送信するか否かを確定する。
【０１４３】
選択可能に、該ダウンリンク伝送のためのリソース（例えば、時間領域リソース、又は周波数領域リソース、又は時間周波数リソース）で他の端末に対してダウンリンク伝送を行う必要がある場合、又は該端末に対して他のダウンリンク伝送を行う必要がある場合、該ネットワーク装置は、該端末へ第一のメッセージを送信する。
【０１４４】
ここで、ネットワーク装置は、さらに中断される必要があるダウンリンク伝送の優先度に基づき、第一のメッセージを送信するか否かを判定することができる。該優先度がダウンリンク伝送のサービスタイプに基づいて確定されてもよい。
【０１４５】
選択可能に、上述したダウンリンク伝送のタイプは、サービスタイプであってもよく、例えばＵＲＬＬＣサービスとｅＭＢＢサービスに分けられてもよい。又は、上述したダウンリンク伝送のタイプは、伝送されるデータ又はシグナリングに従って分けられてもよく、データを伝送するためのダウンリンク伝送、及び制御シグナリングを伝送するためのダウンリンク伝送に分けられてもよい。
【０１４６】
選択可能に、第一のメッセージを送信した場合、ネットワーク装置は、該ダウンリンク伝送のタイプ、該ダウンリンク伝送のリソース指示タイプ、該ダウンリンク伝送の伝送時間間隔（ＴＴＩ：Ｔｒａｎｓｍｉｓｓｉｏｎ  Ｔｉｍｅ  Ｉｎｔｅｒｖａｌ）長さ、該ダウンリンク伝送のスケジューリングシグナリングのフォーマット、及び／又は前記スケジューリングシグナリングが所在するサーチ空間に基づいて、前記少なくとも１つのリソースでデータを送信するか否かを確定することができる。
【０１４７】
選択可能に、上述したリソース指示タイプは、タイムスロットリソース指示タイプであってもよく、具体的にタイムスロットリソースのスケジューリング粒度に従って分けられてもよく、具体的には、多くのシンボルをスケジューリングするリソース指示（例えば、タイプＡ（ｔｙｐｅ  Ａ）であってもよく、タイムスロットスケジューリングに基づくリソース指示）、及び少ないシンボルをスケジューリングするリソース指示（例えば、タイプＢ（ｔｙｐｅ  Ｂ）であってもよく、非タイムスロットスケジューリングに基づくリソース指示）に分けられてもよい。
【０１４８】
選択可能に、ダウンリンク伝送のためのスケジューリングコマンドのタイプは、スケジューリングシグナリングのフォーマットによって分けられてもよく、例えば、圧縮スケジューリングシグナリングフォーマットと通常のスケジューリングシグナリングフォーマットに分けられてもよい。又は、ダウンリンク伝送のためのスケジューリングシグナリングのタイプは、スケジューリングシグナリングが所在するサーチ空間によって分けられてもよく、例えば、高密度サーチ空間にあるスケジューリングシグナリングと低密度サーチ空間にあるスケジューリングシグナリングに分けられてもよい。
【０１４９】
選択可能に、スケジューリングシグナリングのサーチ空間に基づいて、前記少なくとも１つのリソースでデータを送信するか否かを確定することは、該サーチ空間の密度に基づき、前記少なくとも１つのリソースでデータを送信するか否かを確定することであってもよいし、サーチ空間の番号又はインデックスなどに基づき、前記少なくとも１つのリソースでデータを送信するか否かを確定することであってもよく、スケジューリングシグナリングのインデックスが１である場合、前記少なくとも１つのリソースでデータを送信しなくてもよく、スケジューリングシグナリングのインデックスが２である場合、前記少なくとも１つのリソースでデータを送信することを確定することができる。
【０１５０】
ここで、ダウンリンク伝送の優先度順序は、
制御情報のダウンリンク伝送＞データのダウンリンク伝送、又は
ＵＲＬＬＣサービスのダウンリンク伝送＞ｅＭＢＢサービスのダウンリンク伝送、又は
ＵＲＬＬＣデータのダウンリンク伝送＞ＵＲＬＬＣダウンリンク制御情報（ＤＣＩ：ｄｏｗｎｌｉｎｋ  Ｃｏｎｔｒｏｌ  Ｉｎｆｏｒｍａｔｉｏｎ）のダウンリンク伝送＞ｅＭＢＢＤＣＩのダウンリンク伝送＞ｅＭＢＢデータのダウンリンクデータ伝送、又は
ＵＲＬＬＣ  ＣＵＩのダウンリンク伝送＞ＵＲＬＬＣデータのダウンリンク伝送＞ｅＭＢＢ  ＵＣＩのダウンリンク伝送＞ｅＭＢＢデータのダウンリンク伝送、又は
タイプＢに対応するダウンリンク伝送＞タイプＡのダウンリンク伝送、又は
短いＴＴＩに対応するダウンリンク伝送＞長いＴＴＩに対応するダウンリンク伝送、又は
スケジューリングシグナリングが圧縮スケジューリングシグナリングフォーマットであるダウンリンク伝送＞スケジューリングシグナリングが通常のスケジューリングシグナリングフォーマットのダウンリンク伝送、又は
スケジューリングシグナリングが高密度サーチ空間にあるダウンリンク伝送＞スケジューリングシグナリングが低密度サーチ空間にあるダウンリンク伝送であってもよい。
【０１５１】
上記優先度順序に基づき、ネットワーク側は、第一のメッセージを送信するか否かを判定することができ、第一のメッセージを送信した場合、前記少なくとも１つのリソースでデータを送信するか否かを判定するか否かを判定することができる。
【０１５２】
選択可能に、ネットワーク装置は、端末に対してダウンリンクスケジューリングを行う時に、該ダウンリンクスケジューリングのダウンリンク伝送の優先度に従って、スケジューリングシグナリングのフォーマット及び／又はスケジューリングシグナリングの伝送のためのサーチ空間を選択することができる。
【０１５３】
例えば、該ダウンリンク伝送の優先度が高い場合、圧縮スケジューリングシグナリングフォーマットを選択し、そうでない場合、通常のスケジューリングシグナリングフォーマットを選択することができる。
【０１５４】
例えば、該ダウンリンク伝送の優先度が高い場合、特定のサーチ空間を選択して該ダウンリンク伝送のためのスケジューリングシグナリングを伝送し、又は高密度サーチ空間を選択して該スケジューリングシグナリングを伝送し、そうでない場合、低密度のサーチ空間を選択して該スケジューリングシグナリングを伝送することができる。
【０１５５】
選択可能に、本出願の実施形態では、第一のメッセージは、プレインプション指示（Ｐｒｅｅｍｐｔｉｏｎ  ｉｎｄｉｃａｔｉｏｎ）と呼ばれてもよく、スケジューリングシグナリングは、ダウンリンクグラント（ＤＬ  ｇｇｒａｎｔ）情報であってもよい。
【０１５６】
図１０は本出願の実施形態による端末３００の概略ブロック図である。図１０に示すように、該端末装置３００は、送受信ユニット３１０と処理ユニット３２０とを備え、
前記通信ユニット３１０が第一のメッセージを受信するように構成され、前記第一のメッセージが、アップリンク伝送を停止するように端末に指示することに用いられ、
前記処理ユニット３２０が前記第一のメッセージに応答し、前記端末が前記アップリンク伝送を停止するように構成される。
【０１５７】
選択可能に、前記第一のメッセージはさらにアップリンク伝送を停止する開始点を示すことに用いられる。
【０１５８】
選択可能に、前記第一のメッセージは、前記メッセージと前記開始点との時系列関係を示すことによって、前記開始点を示す。
【０１５９】
選択可能に、前記処理ユニット３２０はさらに、
時系列関係に基づいて、前記アップリンク伝送を停止する開始点を確定するように構成され、前記時系列関係が前記第一のメッセージと前記開始点との時系列関係である。
【０１６０】
選択可能に、前記処理ユニット３２０はさらに、
前記アップリンク伝送のための時間領域リソースに基づき、前記アップリンク伝送を停止する終了点を確定するように構成される。
【０１６１】
選択可能に、前記アップリンク伝送を停止する終了点は、
前記アップリンク伝送のための１番目のタイムスロットの終了境界、又は、
前記アップリンク伝送のためのタイムスロットのうち、前記第一のメッセージの受信時点の後の１番目のタイムスロットの終了境界、又は、
前記アップリンク伝送のための時間領域リソースの終了点、又は、
前記アップリンク伝送のための最後のタイムスロットの終了境界である。
【０１６２】
選択可能に、前記処理ユニット３２０はさらに、
前記第一のメッセージの有効時間長、アップリンク伝送の停止の最大長さ、アップリンク伝送の停止の最小長さ、及び現在のアップリンク伝送の停止時間長のうちの少なくとも１つに基づいて、前記アップリンク伝送を停止する終了点を確定するように構成される。
【０１６３】
選択可能に、前記第一のメッセージはさらに前記アップリンク伝送を停止する終了点を示すことに用いられる。
【０１６４】
選択可能に、該第一のメッセージは、
前記第一のメッセージの有効時間長、アップリンク伝送の停止の最大長さ、アップリンク伝送の停止の最小長さ、及び現在のアップリンク伝送の停止時間長のうちの少なくとも１つによって、前記終了点を示す。
【０１６５】
選択可能に、前記通信ユニット３１０はさらに、
前記第一のメッセージではない第二のメッセージを受信するように構成され、前記第二のメッセージが、
前記第一のメッセージの有効時間長、アップリンク伝送の停止の最大長さ及びアップリンク伝送の停止の最小長さのうちの少なくとも１つを示し、
前記処理ユニット３２０はさらに、
前記第二のメッセージに基づき、前記アップリンク伝送を停止する終了点を確定するように構成される。
【０１６６】
選択可能に、前記第一のメッセージは、同一の情報フィールドによって、アップリンク伝送を停止する前記開始点及び終了点を示す。
【０１６７】
選択可能に、前記処理ユニットはさらに前記アップリンク伝送のタイプ、前記アップリンク伝送のリソース指示タイプ、前記アップリンク伝送の伝送時間間隔（ＴＴＩ）長さ、前記アップリンク伝送のスケジューリングシグナリングのフォーマット、前記スケジューリングシグナリングが所在するサーチ空間の密度、及び／又は、前記第一のメッセージと前記アップリンク伝送のスケジューリングシグナリングの受信時間順序に基づき、該アップリンク伝送を停止する必要があることを確定するように構成される。
【０１６８】
理解すべきものとして、該端末３００は方法の実施形態における端末に対応してもよく、方法の実施形態における端末の対応する操作を実現することができ、簡潔にするために、ここで説明を省略する。
【０１６９】
図１１は本出願の実施形態によるネットワーク装置４００の概略ブロック図である。該ネットワーク装置４００は通信ユニット４１０と処理ユニット４２０を備え、ここで、
前記通信ユニット４１０が端末に第一のメッセージを送信するように構成され、前記第一のメッセージが、アップリンク伝送を停止するように端末に指示することに用いられ、
前記処理ユニット４２０が前記アップリンク伝送の受信を停止するように構成される。
【０１７０】
選択可能に、前記第一のメッセージはさらにアップリンク伝送を停止する開始点を示すことに用いられる。
【０１７１】
選択可能に、前記第一のメッセージは、前記第一のメッセージと前記開始点との時系列関係を示すことによって、前記開始点を示す。
【０１７２】
選択可能に、前記処理ユニット４２０はさらに、
時系列関係に基づいて、前記アップリンク伝送を停止する開始点を確定するように構成され、前記時系列関係が前記第一のメッセージと前記開始点との時系列関係である。
【０１７３】
選択可能に、前記処理ユニット４２０はさらに、
前記アップリンク伝送のための時間領域リソースに基づき、前記アップリンク伝送を停止する終了点を確定するように構成される。
【０１７４】
選択可能に、前記アップリンク伝送の終了点は、
前記アップリンク伝送のための１番目のタイムスロットの終了境界、又は、
前記アップリンク伝送のためのタイムスロットのうち、前記第一のメッセージの受信時点の後の１番目のタイムスロットの終了境界、又は、
前記アップリンク伝送のための時間領域リソースの終了点、又は、
前記アップリンク伝送のための最後のタイムスロットの終了境界である。
【０１７５】
選択可能に、前記処理ユニット４２０はさらに、
前記第一のメッセージの有効時間長、アップリンク伝送の停止の最大長さ、アップリンク伝送の停止の最小長さ、及び現在のアップリンク伝送の停止時間長のうちの少なくとも１つに基づいて、前記アップリンク伝送を停止する終了点を確定するように構成される。
【０１７６】
選択可能に、前記第一のメッセージはさらに前記アップリンク伝送を停止する終了点を示すことに用いられる。
【０１７７】
選択可能に、前記第一のメッセージは、
前記第一のメッセージの有効時間長、アップリンク伝送の停止の最大長さ、アップリンク伝送の停止の最小長さ、及び現在のアップリンク伝送の停止時間長のうちの少なくとも１つによって、前記終了点を示す。
【０１７８】
選択可能に、前記通信ユニット４１０はさらに、
前記第一のメッセージではない第二のメッセージを前記端末に送信するように構成され、前記第二のメッセージが、
前記第一のメッセージの有効時間長、アップリンク伝送の停止の最大長さ及びアップリンク伝送の停止の最小長さのうちの少なくとも１つを示す。
【０１７９】
選択可能に、該第一のメッセージは、同一の情報フィールドによってアップリンク伝送を停止する前記開始点及び終了点を示す。
【０１８０】
選択可能に、前記処理ユニット４２０はさらに、
前記アップリンク伝送のタイプ、前記アップリンク伝送のリソース指示タイプ、前記アップリンク伝送の伝送時間間隔（ＴＴＩ）長さ及び／又は前記アップリンク伝送のスケジューリングシグナリングのタイプに従って、前記アップリンク伝送を停止する必要があることを確定するように構成される。
【０１８１】
選択可能に、前記通信ユニット４１０はさらに、
前記アップリンク伝送のためのリソースにおいて、前記端末が他のアップリンク伝送を行う必要がある場合、又は前記アップリンク伝送のためのリソースにおいて、他の端末がアップリンク伝送を行う必要がある場合、前記端末へ第一のメッセージを送信するように構成される。
【０１８２】
理解すべきものとして、該ネットワーク装置４００は方法２００におけるネットワーク装置に対応してもよく、該方法２００におけるネットワーク装置の対応する操作を実現することができ、簡潔にするために、ここで説明を省略する。
【０１８３】
図１２は本出願の実施形態によるシステムチップ８００の概略構造図である。図１２のシステムチップ８００は内部通信接続線を介して接続できる入力インタフェース８０１、出力インタフェース８０２、プロセッサ８０３とメモリ８０４を備え、前記プロセッサ８０３が前記メモリ８０４でのコードを実行するように構成される。
【０１８４】
選択可能に、前記コードが実行される場合、前記プロセッサ８０３は方法の実施形態におけるネットワーク装置によって実行される方法を実現する。簡潔にするために、ここでは説明を省略する。
【０１８５】
選択可能に、前記コードが実行される場合、前記プロセッサ８０３は方法の実施形態における端末によって実行される方法を実現する。簡潔にするために、ここでは説明を省略する。
【０１８６】
図１３は本出願の実施形態による通信装置９００の概略ブロック図である。図１３に示すように、該通信装置９００はプロセッサ９１０とメモリ９２０を備える。ここで、該メモリ９２０はプログラムコードを記憶することができ、該プロセッサ９１０は該メモリ９２０に記憶されたプログラムコードを実行することができる。
【０１８７】
選択可能に、図１３に示すように、該通信装置９００は送受信機９３０を備えることができ、プロセッサ９１０は外部と通信するように送受信機９３０を制御することができる。
【０１８８】
選択可能に、該プロセッサ９１０はメモリ９２０に記憶されたプログラムコードを呼び出し、方法の実施形態におけるネットワーク装置の対応する操作を実行することができ、簡潔にするために、説明を省略する。
【０１８９】
選択可能に、該プロセッサ９１０はメモリ９２０に記憶されたプログラムコードを呼び出し、方法の実施形態における端末の対応する操作を実行することができ、簡潔にするために、説明を省略する。
【０１９０】
理解すべきものとして、本出願の実施形態におけるプロセッサは信号処理機能を有する集積回路チップであってもよい。実施プロセスでは、上記方法の実施形態における各ステップは、プロセッサ内のハードウェアの集積論理回路又はソフトウェアの形のコマンドによって完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェア部材であってもよい。本出願の実施形態において開示される各方法、ステップ及び論理ブロック図を実現又は実行することができる。汎用プロセッサはマイクロプロセッサであってもよく、又は該プロセッサはいずれかの従来のプロセッサなどであってもよい。本出願の実施形態と組み合わせて開示された方法のステップはハードウェア復号プロセッサによって実行されて完了され、又は復号プロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリに位置し、プロセッサはメモリにおける情報を読み取り、そのハードウェアと組み合わせて上記方法のステップを完了する。
【０１９１】
本出願の実施形態におけるメモリは揮発性記憶装置又は不揮発性記憶装置であってもよく、又は揮発性記憶装置及び不揮発性記憶装置の両方を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲ  ＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきこととして、本明細書に記載されるシステムと方法のメモリはこれらといずれかの他の適切なタイプのメモリを含むことを図るがこれらに限定されない。
【０１９２】
当業者であれば、本明細書で開示される実施形態と組み合わせて説明された各例のユニット及びアルゴリズムステップは、電子ハードウェア、又はコンピュータソフトウェアと電子ハードウェアの組み合わせで実現されてもよいと理解できる。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０１９３】
当業者は、便利及び簡潔に説明するために、上記システム、装置及びユニットの具体的な動作プロセスについて、前記方法の実施形態における対応するプロセスを参照でき、ここで説明を省略することを明確に理解することができる。
【０１９４】
本出願が提供する、いくつかの実施形態では、開示されるシステム、装置及び方法は、他の方式により実現されてもよいと理解すべきである。例えば、上記装置の実施形態は例示的なものだけであり、例えば、前記ユニットの区分は、論理機能的区分だけであり、実際に実施する時に他の区分方式もあり得て、例えば複数のユニット又は構成要素は組み合わせられてもよい又は別のシステムに統合されてもよく、又はいくつかの特徴が無視されてもよく、又は実行されなくてもよい。また、示される又は議論される相互結合又は直接結合又は通信接続はいくつかのインターフェースを介して実現されてもよく、装置又はユニットの間接的結合又は通信接続は、電気的形態、機械的形態又は他の形態であってもよい。
【０１９５】
分離部材として説明された前記ユニットは物理的に分離するものであってもよく又は物理的に分離するものでなくてもよく、ユニットとして表示された部材は物理ユニットであってもよく又は物理ユニットでなくてもよく、即ち一つの位置に配置されてもよく、又は複数のネットワーク要素に分散されてもよい。実際のニーズに応じてそのうちの一部又は全てのユニットを選択して本実施形態の解決策の目的を達成することができる。
【０１９６】
また、本出願の各実施形態における各機能ユニットは一つの処理ユニットに統合されてもよく、個々のユニットは単独で物理的に存在してもよく、二つ又は二つ以上のユニットは一つのユニットに統合されてもよい。
【０１９７】
前記機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品が１つの記憶媒体に記憶され、コンピュータ装置（パーソナルコンピュータ、サーバ、又はネットワークデバイス等であってもよい）に本出願の様々な実施形態に記載された方法の全て又は一部のステップを実行させるためのいくつかのコマンドを含む。前記憶媒体はＵＳＢフラッシュディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１９８】
以上は、本出願の実施形態の具体的な実施形態だけであるが、本出願の保護範囲はこれに制限されず、当業者が本出願で開示された技術範囲内で容易に想到し得る変化又は入れ替わりが全て本出願の保護範囲以内に含まれるべきである。従って、本出願の保護範囲は前記請求項の保護範囲に準拠するべきである。
【図１】
2021517794.tif 000003
【図２】
2021517794.tif 000004
【図３】
2021517794.tif 000005
【図４】
2021517794.tif 000006
【図５】
2021517794.tif 000007
【図６】
2021517794.tif 000008
【図７】
2021517794.tif 000009
【図８】
2021517794.tif 000010
【図９】
2021517794.tif 000011
【図１０】
2021517794.tif 000012
【図１１】
2021517794.tif 000013
【図１２】
2021517794.tif 000014
【図１３】
2021517794.tif 000015
【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
無線通信方法であって、
端末が、第一のメッセージを受信し、前記第一のメッセージが、アップリンク伝送を停止するように端末に指示することに用いられることと、
前記端末が、前記アップリンク伝送のタイプ、前記アップリンク伝送のリソース指示タイプ、前記アップリンク伝送の伝送時間間隔（ＴＴＩ）長さ、前記アップリンク伝送のスケジューリングシグナリングのフォーマット、前記スケジューリングシグナリングが所在するサーチ空間、及び、前記第一のメッセージと前記アップリンク伝送のスケジューリングシグナリングの受信時間順序、のうちの少なくとも一つに基づき、前記アップリンク伝送を停止する必要があることを確定することと、  前記第一のメッセージに応答し、前記端末が、前記アップリンク伝送を停止することとを含む、前記無線通信方法。
【請求項２】
前記第一のメッセージはさらにアップリンク伝送を停止する開始点を示すことに用いられることを特徴とする
請求項１に記載の方法。
【請求項３】
前記方法はさらに、
上位層シグナリングによって配置される時系列関係に基づいて、前記アップリンク伝送を停止する開始点を確定することを含むことを特徴とする
請求項１又は２に記載の方法。
【請求項４】
前記時系列関係は、前記第一のメッセージと前記開始点との時系列関係を示すことを特徴とする
請求項３に記載の方法。
【請求項５】
前記方法はさらに、
前記アップリンク伝送のための時間領域リソースに基づき、前記アップリンク伝送を停止する終了点を確定することを含むことを特徴とする
請求項１−４のいずれか一項に記載の方法。
【請求項６】
前記アップリンク伝送を停止する終了点は、
前記アップリンク伝送のための１番目のタイムスロットの終了境界、又は、
前記アップリンク伝送のためのタイムスロットのうち、前記第一のメッセージの受信時点の後の１番目のタイムスロットの終了境界、又は、
前記アップリンク伝送のための時間領域リソースの終了点、又は、
前記アップリンク伝送のための最後のタイムスロットの終了境界であることを特徴とする
請求項５に記載の方法。
【請求項７】
前記アップリンク伝送の優先度が低いものである、
請求項１−６のいずれか一項に記載の方法。
【請求項８】
前記アップリンク伝送のタイプは、データを伝送するためのアップリンク伝送と、制御シグナリングを伝送するためのアップリンク伝送とを含み、前記制御シグナリングを伝送するためのアップリンク伝送の優先度が、前記データを伝送するためのアップリンク伝送の優先度より高い、
請求項１−７のいずれか一項に記載の方法。
【請求項９】
前記アップリンク伝送のタイプは、ＵＲＬＬＣサービスのアップリンク伝送とｅＭＢＢサービスのアップリンク伝送とをさらに含み、前記ＵＲＬＬＣサービスのアップリンク伝送の優先度が前記ｅＭＢＢサービスのアップリンク伝送の優先度より高い、
請求項１−７のいずれか一項に記載の方法。
【請求項１０】
前記端末が、前記第一のメッセージと前記アップリンク伝送のスケジューリングシグナリングの受信時間順序に基づき、前記アップリンク伝送を停止する必要があることを確定することは、
前記アップリンク伝送のスケジューリングシグナリングを受信した後に前記第一のメッセージを受信した場合、前記端末が、前記アップリンク伝送を停止する必要があることを確定すること、又は、
第一のメッセージの受信が、前記アップリンク伝送のスケジューリングシグナリングの受信より遅くない場合、前記端末が、前記アップリンク伝送を停止する必要がないことを確定すること、を含む、
請求項１−６のいずれか一項に記載の方法。
【請求項１１】
端末であって、通信ユニットと処理ユニットを備え、
前記通信ユニットが第一のメッセージを受信するように構成され、前記第一のメッセージが、アップリンク伝送を停止するように端末に指示することに用いられ、
前記処理ユニットが、前記アップリンク伝送のタイプ、前記アップリンク伝送のリソース指示タイプ、前記アップリンク伝送の伝送時間間隔（ＴＴＩ）長さ、前記アップリンク伝送のスケジューリングシグナリングのフォーマット、前記スケジューリングシグナリングが所在するサーチ空間、及び、前記第一のメッセージと前記アップリンク伝送のスケジューリングシグナリングの受信時間順序、のうちの少なくとも一つに基づき、前記アップリンク伝送を停止する必要があることを確定し、前記第一のメッセージに応答し、前記端末が前記アップリンク伝送を停止するように構成される、前記端末。
【請求項１２】
前記第一のメッセージはさらにアップリンク伝送を停止する開始点を示すことに用いられることを特徴とする
請求項１１に記載の端末。
【請求項１３】
前記処理ユニットはさらに、
上位層シグナリングによって配置される時系列関係に基づいて、前記アップリンク伝送を停止する開始点を確定するように構成されることを特徴とする
請求項１１又は１２に記載の端末。
【請求項１４】
前記時系列関係は、前記第一のメッセージと前記開始点との時系列関係を示すことを特徴とする
請求項１３に記載の端末。
【請求項１５】
前記処理ユニットはさらに、
前記アップリンク伝送のための時間領域リソースに基づき、前記アップリンク伝送を停止する終了点を確定するように構成されることを特徴とする
請求項１１−１４のいずれか一項に記載の端末。
【請求項１６】
前記アップリンク伝送を停止する終了点は、
前記アップリンク伝送のための１番目のタイムスロットの終了境界、又は、
前記アップリンク伝送のためのタイムスロットのうち、前記第一のメッセージの受信時点の後の１番目のタイムスロットの終了境界、又は、
前記アップリンク伝送のための時間領域リソースの終了点、又は、
前記アップリンク伝送のための最後のタイムスロットの終了境界であることを特徴とする
請求項１５に記載の端末。
【請求項１７】
前記アップリンク伝送の優先度が低いものである、
請求項１１-１６のいずれか一項に記載の端末。
【請求項１８】
前記アップリンク伝送のタイプは、データを伝送するためのアップリンク伝送と、制御シグナリングを伝送するためのアップリンク伝送とを含み、前記制御シグナリングを伝送するためのアップリンク伝送の優先度が、前記データを伝送するためのアップリンク伝送の優先度より高い、
請求項１１-１７のいずれか一項に記載の端末。
【請求項１９】
前記アップリンク伝送のタイプは、ＵＲＬＬＣサービスのアップリンク伝送とｅＭＢＢサービスのアップリンク伝送とをさらに含み、前記ＵＲＬＬＣサービスのアップリンク伝送の優先度が前記ｅＭＢＢサービスのアップリンク伝送の優先度より高い、
請求項１１-１７のいずれか一項に記載の端末。
【請求項２０】
前記処理ユニットはさらに、
前記アップリンク伝送のスケジューリングシグナリングを受信した後に前記第一のメッセージを受信した場合、前記端末が、前記アップリンク伝送を停止する必要があることを確定し、又は、
第一のメッセージの受信が、前記アップリンク伝送のスケジューリングシグナリングの受信より遅くない場合、前記端末が、前記アップリンク伝送を停止する必要がないことを確定するように構成される、
請求項１１-１６のいずれか一項に記載の端末。
【国際調査報告】
2021517794.tif 000016
2021517794.tif 000017
2021517794.tif 000018
2021517794.tif 000019